(57)【要約】【課題】電池蓋に防水部材を一体化させて、電池蓋の防水構造の薄型化を実現する。【解決手段】筐体１に開口して設けられ、電池２を収納する電池収納部１１と、電池収納部１１の開口を覆う電池蓋３と、筐体１の電池収納部１１の開口周囲に設けられる嵌合部１２と、嵌合部１２に嵌合する防水部材４と、電池蓋３に一体的に設けられ、防水部材４が取り付けられる取付補助部３１と、を備える。【選択図】図２
2010182603.tif 000002
【特許請求の範囲】
【請求項１】
筐体に開口して設けられ、電池を収納する電池収納部と、
前記電池収納部の開口を覆う電池蓋と、
前記筐体の前記電池収納部の開口周囲に設けられる嵌合部と、
前記嵌合部に嵌合する防水部材と、
前記電池蓋に一体的に設けられ、前記防水部材が取り付けられる取付補助部と、を備えることを特徴とする電池蓋の防水構造。
【請求項２】
前記電池蓋は筐体に固定されることを特徴とする請求項１に記載の電池蓋の防水構造。
【請求項３】
前記取付補助部は前記電池蓋に一体成形された突起であることを特徴とする請求項１または２に記載の電池蓋の防水構造。
【請求項４】
前記取付補助部は前記電池蓋と別体の枠体で前記電池蓋に接着または溶着により固定されることを特徴とする請求項１または２に記載の電池蓋の防水構造。
【請求項５】
前記枠体は前記電池蓋に形成されたリブまたは凹みに位置決めされることを特徴とする請求項４に記載の電池蓋の防水構造。
【請求項６】
前記突起は前記電池蓋の周囲にあって、その両側面に前記防水部材が設けられていることを特徴とする請求項３から５のいずれか一項に記載の電池蓋の防水構造。
【請求項７】
前記突起は前記電池蓋の周囲にあって、その片側面に前記防水部材が設けられていることを特徴とする請求項３から５のいずれか一項に記載の電池蓋の防水構造。
【請求項８】
前記防水部材は前記電他蓋の内側を覆うように一体に形成されていることを特徴とする請求項６または７に記載の電池蓋の防水構造。
【請求項９】
前記電池と電池蓋は一体的に形成されていることを特徴とする請求項１から８のいずれか一項に記載の電池蓋の防水構造。
【請求項１０】
前記嵌合部は溝であることを特徴とする請求項１から９のいずれか一項に記載の電池蓋の防水構造。
【請求項１１】
前記取付補助部は前記電池蓋に一体成形された凹部を備え、その凹部内に前記防水部材が取り付けられていることを特徴とする請求項１から１０のいずれか一項に記載の電池蓋の防水構造。
【請求項１２】
前記取付補助部は前記電池蓋に一体成形された凹部を備え、その凹部内の両側面に前記防水部材がそれぞれ取り付けられていることを特徴とする請求項１から１１のいずれか一項に記載の電池蓋の防水構造。
【請求項１３】
前記凹部内を覆って前記防水部材が一体に形成されていることを特徴とする請求項１２に記載の電池蓋の防水構造。
【請求項１４】
前記防水部材は導電性弾性部材と非導電性弾性部材とを一体成形してなることを特徴とする請求項１から１３のいずれか一項に記載の電池蓋の防水構造。
【請求項１５】
請求項１から１４のいずれか一項に記載の電池蓋の防水構造を備えることを特徴とする電子機器。
【発明の詳細な説明】
【技術分野】
【０００１】
本発明は、電池蓋の防水構造と、その電池蓋の防水構造を備える電子機器に関する。
【背景技術】
【０００２】
携帯電子機器において、筐体の電池を収納する電池ポケットの外囲を取り囲むパッキン溝に防水パッキンを固定させ、電池蓋に設けられた防水リブで防水パッキンを圧接させて、電池蓋で防水を図って電池ポケットを覆うようにした構造が特許文献１に開示される。
【先行技術文献】
【特許文献】
【０００３】
【特許文献１】特開平１１−２５９４０号公報
【発明の概要】
【発明が解決しようとする課題】
【０００４】
しかし、特許文献１に示されたものでは、防水パッキンを固定させるための取り付け作業が必要であり、面倒であった。
【０００５】
このため、周囲に防水パッキンがインサート成形により一体化された防水蓋を、両面接着テープで電池蓋の内面に固定する構造が考えられるが、その場合、防水蓋と両面接着テープ分の厚みが増えてしまう。
【０００６】
本発明の課題は、電池蓋に防水部材を一体化させて、電池蓋の防水構造の薄型化を実現することである。
【課題を解決するための手段】
【０００７】
以上の課題を解決するため、請求項１に記載の発明は、筐体に開口して設けられ、電池を収納する電池収納部と、前記電池収納部の開口を覆う電池蓋と、前記筐体の前記電池収納部の開口周囲に設けられる嵌合部と、前記嵌合部に嵌合する防水部材と、前記電池蓋に一体的に設けられ、前記防水部材が取り付けられる取付補助部と、を備える電池蓋の防水構造を特徴とする。
【０００８】
請求項２に記載の発明は、請求項１に記載の電池蓋の防水構造であって、前記電池蓋は筐体に固定されることを特徴とする。
【０００９】
請求項３に記載の発明は、請求項１または２に記載の電池蓋の防水構造であって、前記取付補助部は前記電池蓋に一体成形された突起であることを特徴とする。
【００１０】
請求項４に記載の発明は、請求項１または２に記載の電池蓋の防水構造であって、前記取付補助部は前記電池蓋と別体の枠体で前記電池蓋に接着または溶着により固定されることを特徴とする。
【００１１】
請求項５に記載の発明は、請求項４に記載の電池蓋の防水構造であって、前記枠体は前記電池蓋に形成されたリブまたは凹みに位置決めされることを特徴とする。
【００１２】
請求項６に記載の発明は、請求項３から５のいずれか一項に記載の電池蓋の防水構造であって、前記突起は前記電池蓋の周囲にあって、その両側面に前記防水部材が設けられていることを特徴とする。
【００１３】
請求項７に記載の発明は、請求項３から５のいずれか一項に記載の電池蓋の防水構造であって、前記突起は前記電池蓋の周囲にあって、その片側面に前記防水部材が設けられていることを特徴とする。
【００１４】
請求項８に記載の発明は、請求項６または７に記載の電池蓋の防水構造であって、前記防水部材は前記電他蓋の内側を覆うように一体に形成されていることを特徴とする。
【００１５】
請求項９に記載の発明は、請求項１から８のいずれか一項に記載の電池蓋の防水構造であって、前記電池と電池蓋は一体的に形成されていることを特徴とする。
【００１６】
請求項１０に記載の発明は、請求項１から９のいずれか一項に記載の電池蓋の防水構造であって、前記嵌合部は溝であることを特徴とする。
【００１７】
請求項１１に記載の発明は、請求項１から１０のいずれか一項に記載の電池蓋の防水構造であって、前記取付補助部は前記電池蓋に一体成形された凹部を備え、その凹部内に前記防水部材が取り付けられていることを特徴とする。
【００１８】
請求項１２に記載の発明は、請求項１から１１のいずれか一項に記載の電池蓋の防水構造であって、前記取付補助部は前記電池蓋に一体成形された凹部を備え、その凹部内の両側面に前記防水部材がそれぞれ取り付けられていることを特徴とする。
【００１９】
請求項１３に記載の発明は、請求項１２に記載の電池蓋の防水構造であって、前記凹部内を覆って前記防水部材が一体に形成されていることを特徴とする。
【００２０】
請求項１４に記載の発明は、請求項１から１３のいずれか一項に記載の電池蓋の防水構造であって、前記防水部材は導電性弾性部材と非導電性弾性部材とを一体成形してなることを特徴とする。
【００２１】
請求項１５に記載の発明は、請求項１から１４のいずれか一項に記載の電池蓋の防水構造を備える電子機器を特徴とする。
【発明の効果】
【００２２】
本発明によれば、電池蓋に防水部材を一体化できるとともに、電池蓋の防水構造を薄型化することができる。
【図面の簡単な説明】
【００２３】
【図１】本発明を適用した電子機器の一実施形態の構成を示すもので、携帯電話を示した斜視図である。
【図２】図１の携帯電話の要部断面図である。
【図３】図２の電池蓋と防水部材の分解斜視図である。
【図４】実施形態２を示すもので、電池蓋の断面図である。
【図５】実施形態３を示すもので、電池蓋の防水構造部の断面図である。
【図６】実施形態４を示すもので、電池蓋の防水構造部の断面図である。
【図７】実施形態５を示すもので、電池蓋の防水構造部の断面図である。
【図８】実施形態６を示すもので、電池蓋の防水構造部の断面図である。
【図９】実施形態７を示すもので、電池蓋の防水構造部の断面図（ａ）〜（ｄ）である。
【図１０】実施形態８を示すもので、電池蓋の防水構造部の断面図である。
【図１１】図１０の電池蓋の斜視図である。
【図１２】図１１の電池蓋の防水構造部の断面図である。
【図１３】実施形態９を示すもので、電池蓋の要部斜視図である。
【図１４】実施形態１０を示すもので、電池蓋の防水構造部の断面図である。
【図１５】実施形態１１を示すもので、電池蓋の防水構造部の断面図である。
【発明を実施するための形態】
【００２４】
以下、図を参照して本発明を実施するための形態を詳細に説明する。
（実施形態１）
図１は本発明を適用した電子機器の一実施形態の構成として携帯電話を示したもので、図２はその携帯電話の要部断面を示しており、１は筐体、２は電池、３は電池蓋、４は防水部材である。図示例において、筐体１は、図示しない表示部筐体がヒンジ結合される操作部筐体である。
【００２５】
図示のように、筐体１には、電池２を収納する電池収納部１１が背面側に開口して形成されるとともに、この電池収納部１１の開口周囲に沿って溝による嵌合部１２が形成されている。
【００２６】
そして、電池収納部１１の開口を覆う電池蓋３の内面には、溝による嵌合部１２に沿う突起によるリブ状の取付補助部３１が一体に形成されていて、このリブ状の取付補助部３１に沿って、図３に示すように、パッキンを形成する防水部材４が取り付けられている。この防水部材４はリブ状の取付補助部３１の内周面及び外周面に連続して電池蓋３に一体成形されている。
【００２７】
ここで、電池蓋３の材料としては、電池２の液漏れに対する腐食に強いこと、インサート成形に耐えられる耐熱性などの理由から、例えば耐熱ポリカーボネート（ＰＣ）が好ましい。なお、耐熱ＰＣは塗装が施し難いため、高密着型の塗料によって外観処理を施す。また、防水部材４の材料としては、例えばシリコンラバーまたはエラストマが挙げられる。
【００２８】
以上の電池蓋３は、その内面のリブ状の取付補助部３１に一体のパッキンを形成する防水部材４を、図２に示すように、筐体１の電池収納部１１の開口周囲に沿った溝による嵌合部１２に圧入する。これにより、防水部材４は、溝による嵌合部１２の内周面及び外周面に圧接状態となっている。
【００２９】
そして、嵌合部１２の外側において、例えば図３に示されるように、電池蓋３の一端側の左右一対の係止爪３２を筐体１に係止するとともに、他端側の穴部に対応して筐体１に組み付けられるロックレバー１６のロック爪（不図示）を係止してロックする。なお、筐体１に電池蓋３をネジ止めしてもよい。
【００３０】
以上、実施形態の携帯電話によれば、電池蓋３に一体の取付補助部３１に防水部材４を一体化できるとともに、防水蓋や両面接着テープが不要となることから、電池蓋３の防水構造を薄型化することができる。
【００３１】
（実施形態２）
図４は実施形態２を示すもので、前述した実施形態１と同様、３は電池蓋、３１は取付補助部、４は防水部材である。
【００３２】
実施形態２は、図示のように、電池蓋３の突起によるリブ状の取付補助部３１に沿ってパッキンを形成する防水部材４とともに、リブ状の取付補助部３１で囲まれた電池蓋３の内面に膜状部４１をラバーにより一体成形したものである。
【００３３】
このように、リブ状の取付補助部３１で囲まれた電池蓋３の内面を、リブ状の取付補助部３１に沿ってパッキンを形成する防水部材４と一体にラバーによる膜状部４１で一層覆うことで、例えば前記電池２の液漏れをラバーによる膜状部４１で塞ぎ止めることができる。
【００３４】
従って、電池蓋３の樹脂材料としては、前記耐熱ＰＣに限定されず、ラバーと密着または接着できる材料であれば選択可能となる。例えばポリアミドに強化繊維をブレンドした樹脂を用いれば剛性を大幅に上げることができるため、ラバーによる膜状部４１を一層追加して樹脂部の肉厚が薄くなっても強度を上げることができる。また、ラバーの量が増えることで、リブ状の取付補助部３１の一部にパッキンを形成する防水部材４を成形するよりも安定した材料の流動が可能になり、パッキンの形状精度向上にも効果が期待できる。
【００３５】
（実施形態３）
図５は実施形態３を示すもので、前述した実施形態１と同様、１は筐体、１１は電池収納部、１２は嵌合部、２は電池、３は電池蓋、４は防水部材であって、３４は凸部、３５は取付補助部である。
【００３６】
実施形態３は、図示のように、電池蓋３の内面に、筐体１の溝による嵌合部１２に沿うリブ状の凸部３４を一体形成して、このリブ状の凸部３４に沿って溝状の凹部による取付補助部３５を形成し、この凹部による取付補助部３５に埋めるようにして凸部３４上にパッキンを形成する防水部材４を一体成形したものである。
【００３７】
このように、電池蓋３に形成した凹部による取付補助部３５に防水部材４を埋めて取り付けることで、パッキンの剥がれを抑止することができる。
【００３８】
（実施形態４）
図６は実施形態４を示すもので、前述した実施形態１と同様、１は筐体、１１は電池収納部、１２は嵌合部、２は電池、３は電池蓋、４は防水部材であって、３６は凸部、３７は取付補助部である。
【００３９】
実施形態４は、図示のように、電池蓋３の内面に、筐体１の電池収納部１１の周囲及びその周囲に沿った溝による嵌合部１２に沿う幅広の凸部３６を一体形成して、この幅広の凸部３６に沿って溝状の凹部による取付補助部３７を形成し、この凹部による取付補助部３７の内周面と外周面とにパッキンを形成する防水部材４をそれぞれ一体成形したものである。
【００４０】
以上の電池蓋３は、その内面の幅広の凸部３６の凹部による取付補助部３７の内周面及び外周面に一体の防水部材４を、図示のように、筐体１の電池収納部１１の周囲及びその周囲に沿った溝による嵌合部１２にそれぞれ圧入する。
【００４１】
これにより、筐体１の電池収納部１１とその周囲の溝による嵌合部１２との間の隔壁部１３が、電池蓋３の凹部による取付補助部３７において、その内周側及び外周側の防水部材４により挟み込まれて嵌合した状態になる。すなわち、隔壁部１３が凸部による嵌合部となる。
【００４２】
（実施形態５）
図７は実施形態５を示すもので、前述した実施形態４と同様、１は筐体、１１は電池収納部、１２は嵌合部、１３は隔壁部、２は電池、３は電池蓋、３６は凸部、３７は取付補助部、４は防水部材であって、４２は連続部である。
【００４３】
実施形態５は、図示のように、実施形態４と同様の構成に加えて、電池蓋３の幅広の凸部３６の凹部による取付補助部３７において、その内周面及び外周面のパッキンを形成する防水部材４に連続する連続部４２を一体成形したものである。これにより、凹部による取付補助部３７が、防水部材４により覆われている。
【００４４】
（実施形態６）
図８は実施形態６を示すもので、前述した実施形態１と同様、１は筐体、１１は電池収納部、１２は嵌合部、２は電池、３は電池蓋、３１は取付補助部、４は防水部材である。
【００４５】
実施形態６は、図示のように、電池蓋３の周囲に突起による取付補助部３１を形成して、この電池蓋３周囲の突起による取付補助部３１の両側面及び端面に防水部材４を一体成形したものである。
【００４６】
（実施形態７）
図９は実施形態７を示すもので、前述した実施形態１と同様、１は筐体、１１は電池収納部、１２は嵌合部、２は電池、３は電池蓋、３１は取付補助部、４は防水部材である。
【００４７】
実施形態７は、図示のように、突起による取付補助部３１の内周側または外周側の何れかに防水部材４を設けたものである。
【００４８】
すなわち、図９（ａ）は、突起による取付補助部３１の内周面にのみ防水部材４を一体成形したもので、図９（ｂ）は、突起による取付補助部３１の外周面にのみ防水部材４を一体成形したものである。また、図９（ｃ）は、電池蓋３の周囲に形成した突起による取付補助部３１の内周面にのみ防水部材４を一体成形したもので、図９（ｄ）は、電池蓋３の周囲に形成した突起による取付補助部３１の外周面にのみ防水部材４を一体成形したものである。
【００４９】
（実施形態８）
図１０は実施形態８を示すもので、前述した実施形態１と同様、１は筐体、１１は電池収納部、２は電池、３は電池蓋、３１は取付補助部、４は防水部材であって、１４は嵌合部、３８は上板部である。
【００５０】
実施形態８は、図示のように、電池蓋３の突起による取付補助部３１で囲まれた内部に電池２のセルを収納して、突起による取付補助部３１上に上板部３８を周囲で溶着することにより、電池２と電池蓋３を一体化したものである。この場合、突起による取付補助部３１の外周面に一体成形された防水部材４は、筐体１の電池収納部１１の周壁を兼ねた凸部による嵌合部１４に圧接している。
【００５１】
図１１は電池蓋３の外観を示しており、図示のように、内面の一端部側に凹部３９が形成されていて、この凹部３９に電池２の接点端子部２１が露出して設けられている。
【００５２】
図１２は電池蓋３の防水構造を示しており、図示のように、筐体１の電池収納部１１の底面に露出する回路基板５に実装されたコネクタ６が、電池蓋３の凹部３９に挿入されて、その電源端子６１が電池２の接点端子部２１に接続状態となっている。
【００５３】
（実施形態９）
図１３は実施形態９を示すもので、前述した実施形態８と同様、３は電池蓋、３１は突起による取付補助部、３８は上板部、４は防水部材であって、４３は導電性弾性部材である。
【００５４】
実施形態９は、図示のように、非導電性弾性部材であるシリコンラバーによる防水部材４に導電性弾性部材４３を一体成形して、この導電性弾性部材４３を、内蔵された電池２の接点端子部としたものである。これにより、実施形態８のような凹部３９が不要となる。
【００５５】
（実施形態１０）
図１４は実施形態１０を示すもので、前述した実施形態１と同様、１は筐体、１１は電池収納部、１２は嵌合部、２は電池、３は電池蓋、４は防水部材であって、７は取付補助部である。
【００５６】
実施形態１０は、図示のように、断面Ｌ字状をなす枠体による取付補助部７を電池蓋３の内面周囲に接着剤８で接着固定して、この枠体による取付補助部７の断面Ｌ字状をなす外周側起立部に防水部材４を一体成形したものである。
【００５７】
このように、電池蓋３と別体の枠体による取付補助部７を用いて、電池蓋３に一体化してもよい。
【００５８】
（実施形態１１）
図１５は実施形態１１を示すもので、前述した実施形態１０と同様、１は筐体、１１は電池収納部、１２は嵌合部、２は電池、３は電池蓋、４は防水部材、７は取付補助部である。
【００５９】
実施形態１１は、図示のように、電池蓋３の内周面に外周側とその内周側とに２本の離間したリブ９を形成して、そのリブ９間に断面Ｌ字状をなす枠体による取付補助部７を接着剤８で接着固定して、この枠体による取付補助部７の断面Ｌ字状をなす内周側起立部に防水部材４を一体成形したものである。図示例では、枠体による取付補助部７の断面Ｌ字状をなす内周側に、防水部材４が取り付けられる起立部が位置して、その起立部より外周側が接着代となっている。
【００６０】
このように、電池蓋３の内周面に外周側とその内周側とに２本の離間したリブ９を形成しておくことで、枠体による取付補助部７を電池蓋３に接着する際の位置決めが簡単に行える。
【００６１】
（変形例）
なお、実施形態１０・１１において、前述した実施形態２〜９と同様の構成を適用してもよい。また、電池蓋３に取付補助部７を、接着剤８に代えて、両面接着テープにより接着してもよく、超音波溶着してもよい。また、電池蓋３に取付補助部７を、リブ９に代えて、凹みを形成して位置決め固定してもよい。
【００６２】
（他の変形例）
なお、以上の実施形態においては、携帯電話としたが、本発明はこれに限定されるものではなく、カメラ、ＰＤＡ、ノートパソコン、ウェアラブルパソコン、電卓、電子辞書などの電池、電池蓋を有する機器全てに用いることができる。
また、嵌合部は溝や凸部に限らずフック状のものでもよい。
さらに、取付補助部や防水部材の形状等も任意であり、その他、具体的な細部構造等についても適宜に変更可能であることは勿論である。
【符号の説明】
【００６３】
１  筐体
１１  電池収納部
１２  溝による嵌合部
１３  凸部による嵌合部
１４  凸部による嵌合部
１６  ロックレバー
２  電池
３  電池蓋
３１  突起による取付補助部
３５  凹部による取付補助部
３７  凹部による取付補助部
４  防水部材
４１  膜状部
４３  導電性弾性部材
５  回路基板
６  コネクタ
７  枠体による取付補助部
８  接着剤
９  リブ
【図１】
2010182603.tif 000003
【図２】
2010182603.tif 000004
【図３】
2010182603.tif 000005
【図４】
2010182603.tif 000006
【図５】
2010182603.tif 000007
【図６】
2010182603.tif 000008
【図７】
2010182603.tif 000009
【図８】
2010182603.tif 000010
【図９】
2010182603.tif 000011
【図１０】
2010182603.tif 000012
【図１１】
2010182603.tif 000013
【図１２】
2010182603.tif 000014
【図１３】
2010182603.tif 000015
【図１４】
2010182603.tif 000016
【図１５】
2010182603.tif 000017
【手続補正書】
【提出日】平成21年10月22日(2009.10.22)
【手続補正２】
【補正対象書類名】明細書
【補正対象項目名】０００１
【補正方法】変更
【補正の内容】
【０００１】
本発明は、電池蓋の防水構造を備える電子機器に関する。
【手続補正３】
【補正対象書類名】明細書
【補正対象項目名】０００７
【補正方法】変更
【補正の内容】
【０００７】
以上の課題を解決するため、請求項１に記載の発明は、筐体に開口して設けられ、電池を収納する電池収納部と、前記電池収納部の開口を覆う電池蓋と、前記筐体の前記電池収納部の開口周囲に設けられる溝状の嵌合部と、前記嵌合部の側面に圧接する防水部材と、前記電池蓋に突起により一体に形成され、前記防水部材が取り付けられる取付補助部とを備える電子機器を特徴とする。
【手続補正４】
【補正対象書類名】明細書
【補正対象項目名】０００８
【補正方法】変更
【補正の内容】
【０００８】
請求項２に記載の発明は、請求項１に記載の電子機器であって、前記電池蓋は筐体に固定されるとともに、その電池蓋の系止部に筐体のロック部が系止して、前記電池蓋がロックされることを特徴とする請求項１に記載の電子機器。
【手続補正５】
【補正対象書類名】明細書
【補正対象項目名】０００９
【補正方法】変更
【補正の内容】
【０００９】
請求項３に記載の発明は、請求項１または２に記載の電子機器であって、前記突起は前記電池蓋の周囲にあって、その両側面に前記防水部材が設けられていることを特徴とする。
【手続補正６】
【補正対象書類名】明細書
【補正対象項目名】００１０
【補正方法】変更
【補正の内容】
【００１０】
請求項４に記載の発明は、請求項１または２に記載の電子機器であって、前記突起は前記電池蓋の周囲にあって、その片側面に前記防水部材が設けられていることを特徴とする。
【手続補正７】
【補正対象書類名】明細書
【補正対象項目名】００１１
【補正方法】変更
【補正の内容】
【００１１】
請求項５に記載の発明は、請求項１または２に記載の電子機器であって、前記防水部材は前記電他蓋の内側を覆うように一体に形成されていることを特徴とする。
【手続補正８】
【補正対象書類名】明細書
【補正対象項目名】００１２
【補正方法】変更
【補正の内容】
【００１２】
請求項６に記載の発明は、請求項１から５のいずれか一項に記載の電子機器であって、前記電池と電池蓋は一体的に形成されていることを特徴とする。
【手続補正９】
【補正対象書類名】明細書
【補正対象項目名】００１３
【補正方法】変更
【補正の内容】
【００１３】
請求項７に記載の発明は、請求項１から６のいずれか一項に記載の電子機器であって、前記取付補助部は前記電池蓋に一体成形された凹部を備え、その凹部内に前記防水部材が取り付けられていることを特徴とする。
【手続補正１０】
【補正対象書類名】明細書
【補正対象項目名】００１４
【補正方法】変更
【補正の内容】
【００１４】
請求項８に記載の発明は、請求項１から６のいずれか一項に記載の電子機器であって、前記取付補助部は前記電池蓋に一体成形された凹部を備え、その凹部内の両側面に前記防水部材がそれぞれ取り付けられていることを特徴とする。
【手続補正１１】
【補正対象書類名】明細書
【補正対象項目名】００１５
【補正方法】変更
【補正の内容】
【００１５】
請求項９に記載の発明は、請求項８に記載の電子機器であって、前記凹部内を覆って前記防水部材が一体に形成されていることを特徴とする。
【手続補正１２】
【補正対象書類名】明細書
【補正対象項目名】００１６
【補正方法】変更
【補正の内容】
【００１６】
請求項１０に記載の発明は、請求項１から９のいずれか一項に記載の電子機器であって、前記防水部材は導電性弾性部材と非導電性弾性部材とを一体成形してなることを特徴とする。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】特許請求の範囲
【補正対象項目名】全文
【補正方法】変更
【補正の内容】
【特許請求の範囲】
【請求項１】
筐体に開口して設けられ、電池を収納する電池収納部と、
前記電池収納部の開口を覆う電池蓋と、
前記筐体の前記電池収納部の開口周囲に設けられる溝状の嵌合部と、
前記嵌合部の側面に圧接する防水部材と、
前記電池蓋に突起により一体に形成され、前記防水部材が取り付けられる取付補助部と、を備えることを特徴とする電子機器。
【請求項２】
前記電池蓋は筐体に固定されるとともに、その電池蓋の系止部に筐体のロック部が系止して、前記電池蓋がロックされることを特徴とする請求項１に記載の電子機器。
【請求項３】
前記突起は前記電池蓋の周囲にあって、その両側面に前記防水部材が設けられていることを特徴とする請求項１または２に記載の電子機器。
【請求項４】
前記突起は前記電池蓋の周囲にあって、その片側面に前記防水部材が設けられていることを特徴とする請求項１または２に記載の電子機器。
【請求項５】
前記防水部材は前記電他蓋の内側を覆うように一体に形成されていることを特徴とする請求項１または２に記載の電子機器。
【請求項６】
前記電池と電池蓋は一体的に形成されていることを特徴とする請求項１から５のいずれか一項に記載の電子機器。
【請求項７】
前記取付補助部は前記電池蓋に一体成形された凹部を備え、その凹部内に前記防水部材が取り付けられていることを特徴とする請求項１から６のいずれか一項に記載の電子機器。
【請求項８】
前記取付補助部は前記電池蓋に一体成形された凹部を備え、その凹部内の両側面に前記防水部材がそれぞれ取り付けられていることを特徴とする請求項１から６のいずれか一項に記載の電子機器。
【請求項９】
前記凹部内を覆って前記防水部材が一体に形成されていることを特徴とする請求項8に記載の電子機器。
【請求項１０】
前記防水部材は導電性弾性部材と非導電性弾性部材とを一体成形してなることを特徴とする請求項１から９のいずれか一項に記載の電子機器。